(57)【特許請求の範囲】
【請求項１】
機器に電力を供給する主電源と、
前記機器の使用を検知する使用検知部と、
前記使用検知部の信号により待機電力モードと通常電力モードの切換指示を出力するＣＰＵと、
前記ＣＰＵに電力を供給する補助電源と、
トランスと、を備え、
前記トランスは、前記補助電源の補助電源入力部に設けた１次巻線と、補助電源出力部に設けた２次巻線と、補助電源制御ＩＣを備えた補助電源モード切換制御部に設けた補助２次巻線と、を有し、
前記ＣＰＵは、前記待機電力モードへの切換指示により、前記主電源への商用電力供給を遮断するとともに、前記ＣＰＵ自体を待機電力モードに移行し、前記２次巻線の電流低下による前記補助２次巻線の電流低下により前記補助電源制御ＩＣが前記補助電源の間欠駆動停止を繰り返すように制御し、
前記使用検知部は、前記機器にリモコン信号を送出するリモートコントローラと、
前記リモコン信号を受信する本体受信部と、を備え、
前記リモコン信号は、リーダ部、データ部、トレーラ部で構成される送信データ前段に、リーダ部、データ部、トレーラ部およびデータコードからなるダミーコードをさらに備え、
前記ダミーコードは、前記データコードを前記ＣＰＵの待機電力モードにおける前記本体受信部の間欠駆動停止繰り返し周期の時間より長い時間に構成するとともに、前記データコードのデータをすべて同じビットデータで構成する電力制御装置。
【請求項２】
前記ダミーコードのデータコードは、３２ｂｉｔで構成し、前記データコードのデータをすべて「０」のビットデータで構成した請求項１に記載の電力制御装置。
【請求項３】
請求項１に記載の電力制御装置を備えた機器。
【発明の詳細な説明】
【技術分野】
【０００１】
本発明は、機器を使用していないときの待機時消費電力を低減させた電力制御装置およびそれを備えた機器に関する。
【背景技術】
【０００２】
近年のエネルギー事情および電力事情から、機器における省エネルギーの重要性が年々高くなっている。特に、機器を使用していないときの待機時消費電力（以下、「待機電力」と記す）を、限りなくゼロに近づけることが要望されている。
【０００３】
従来、この種の電力制御装置として、例えば機器であるトイレ装置を使用していないときの電源部で消費する電力を低減して、待機電力を削減する電力制御装置を備えたトイレ装置が提案されている。（例えば、特許文献１参照）。
【０００４】
特許文献１に記載のトイレ装置の電力制御装置は、人体検出部と、機能部と、制御部と、第一電源部と、第二電源部と、電力制御素子と、を備えている。人体検出部は、トイレ内の人体の有無を検出する。機能部は、トイレ内の環境を整備する。制御部は、人体検出部と機能部を駆動する。第一電源部は、人体検出部と制御部に直流電源を供給する。第二電源部は、商用電源を直流電源に変換して機能部に直流電源を供給する。電力制御素子は、第二電源部の前段に位置し、商用電源から第二電源部への通電を制御する。
【０００５】
そして、トイレ装置の電力制御装置の制御部は、人体検出部の検知結果に応じて電力制御素子を駆動し、第二電源部への商用電源の供給を制御する。これにより、トイレ内に使用者が存在しない場合、トイレ装置は消費電力の小さい電源部のみ動作させて、トイレ装置が使用されていない状態での待機電力を小さくする。また、トイレ装置を使用する場合、使用者の操作意思によることなくトイレ内にトイレ使用者がいるだけで自動的に全ての機能を動作可能な状態にする。その結果、使い勝手の非常に良いトイレ装置を実現している。
【０００６】
つまり、従来のトイレ装置の電力制御装置の構成は、機器であるトイレ装置が使用されていない場合、制御部は電力制御素子をオフして、商用電源から第二電源部への通電をオフしている。これにより、商用電源から電源部自身が消費する電力を、第一電源部が消費する電力だけにしている。
【０００７】
しかしながら、第一電源部が消費する待機電力として、０．５Ｗ程度の消費が必ず必要である。
【０００８】
すなわち、従来のトイレ装置の電力制御装置の構成は、機器が使用されていない場合、大きな電力負荷である機能部などへ電力を供給する第二電源部（主電源）をオフする。そして、操作部の操作信号や人体検出部の検知信号および各種温度検出部の温度検出信号を処理する。つまり、各種ヒータやモータおよびＬＥＤなどの各負荷の駆動を指示する小さな電力負荷のマイコンなどへ電力を供給する第一電源部（補助電源）だけ、オン状態とする構成である。これにより、待機状態時に、マイコンが通常動作より低い消費電力となる低速動作をさせて低消費電力モードを実現している。しかし、低消費電力モードで動作させても、第一電源部（補助電源）自体の動作に必要な、最小限の電力の消費が必要である。そのため、第一電源部（補助電源）を商用電源ではない電池などで構成しない限り、商用電源を消費する待機電力を限りなくゼロに近づけることができないという課題があった。
【先行技術文献】
【特許文献】
【０００９】
【特許文献１】特開２００２−１４６８７８号公報
【発明の概要】
【００１０】
上記従来の課題を解決するために、本発明の電力制御装置は、機器に電力を供給する主電源と、機器の使用を検知する使用検知部と、使用検知部の信号により待機電力モードと通常電力モードの切換指示を出力するＣＰＵと、ＣＰＵに電力を供給する補助電源と、トランスと、を備える。トランスは、補助電源の補助電源入力部に設けた１次巻線と、補助電源出力部に設けた２次巻線と、補助電源制御ＩＣを備えた補助電源切換モード制御部に設けた補助２次巻線と、を有する。ＣＰＵ（制御部）は、待機電力モードへの切換指示により、主電源への商用電力供給を遮断するとともに、ＣＰＵ自体が低速モードである待機電力モードに移行し、２次巻線の電流低下による補助２次巻線の電流低下により補助電源制御ＩＣが補助電源の間欠駆動停止を繰り返すように制御する構成を有する。
【００１１】
この構成によれば、使用検知部の信号により、ＣＰＵが通常電力モードから待機電力モードへ移行させる条件になると、ＣＰＵは主電源への商用電力供給を遮断するとともに、補助電源の２次側負荷を遮断する。これにより、ＣＰＵ自体が低速モードである待機電力モードに移行する。そして、トランスの２次巻線の電流低下によるトランスの補助２次巻線の電流低下によって、補助電源切換制御部の補助電源制御ＩＣが補助電源の間欠駆動停止を繰り返す待機電力モードとなる。
【００１２】
つまり、主電源への商用電力の供給が遮断されて、待機電力モード時は、主電源および主電源に接続される機器の機能部に相当する出力側負荷での電力消費がなくなる。また、補助電源の２次側負荷が遮断され、さらに補助電源が間欠駆動停止を繰り返す待機電力モードになる。これにより、機器を使用していないときの待機電力を限りなくゼロに近づけることができる。その結果、待機電力を大幅に低減できる電力制御装置およびそれを備えた機器を実現できる。
【図面の簡単な説明】
【００１３】
【図１】図１は、本発明の実施の形態における電力制御装置およびそれを備えた機器である衛生洗浄装置の外観を示す斜視図である。
【図２】図２は、本発明の実施の形態における衛生洗浄装置の制御系のブロック図である。
【図３】図３は、本発明の実施の形態におけるリモートコントローラの外観を示す斜視図である。
【図４】図４は、本発明の実施の形態におけるリモートコントローラのフロントパネルを開放した状態を示す正面図である。
【図５】図５は、図３に示す５−５線断面図である。
【図６】図６は、本発明の実施の形態における電力制御装置を例示するブロック図である。
【図７】図７は、本発明の実施の形態の本体受信部（赤外線受信部）を例示するブロック図である。
【図８Ａ】図８Ａは、リモコン信号フォーマットを例示する説明図である。
【図８Ｂ】図８Ｂは、図８Ａのリーダ部の波形を示す説明図である。
【図８Ｃ】図８Ｃは、図８Ａのデータ部「０」の波形を示す説明図である。
【図８Ｄ】図８Ｄは、図８Ａのデータ部「１」の波形を示す説明図である。
【図８Ｅ】図８Ｅは、図８Ａのトレーラ部の波形を示す説明図である。
【図９】図９は、本発明の実施の形態のリモコン信号を例示する構成図である。
【図１０Ａ】図１０Ａは、図９のダミーコードのデータコードと受信部の間欠駆動の動作を例示するタイミングチャート図である。
【図１０Ｂ】図１０Ｂは、図９のダミーコードのデータコードと受信部の間欠駆動の動作を例示するタイミングチャート図である。
【図１１Ａ】図１１Ａは、従来の衛生洗浄装置における便座・便蓋開閉角度検出回路を説明するブロック図である。
【図１１Ｂ】図１１Ｂは、図１１Ａの改良案を例示するブロック図である。
【図１１Ｃ】図１１Ｃは、本発明の実施の形態における衛生洗浄装置の別の構成の便座・便蓋開閉角度検出回路を例示するブロック図である。
【図１１Ｄ】図１１Ｄは、図１１Ｃの補足説明図である。
【図１１Ｅ】図１１Ｅは、図１１Ｃの補足説明図である。
【図１２Ａ】図１２Ａは、従来の衛生洗浄装置における電力制御装置のＣＰＵとサブＣＰＵの通信回路を説明するブロック図である。
【図１２Ｂ】図１２Ｂは、図１２ＡのＣＰＵとサブＣＰＵの通信信号の構成を説明する図である。
【図１３Ａ】図１３Ａは、本実施の形態の衛生洗浄装置におけるＣＰＵとサブＣＰＵの通信回路のブロック図である。
【図１３Ｂ】図１３Ｂは、本実施の形態の衛生洗浄装置におけるＣＰＵとサブＣＰＵの通信回路のブロック図である。
【図１３Ｃ】図１３Ｃは、本実施の形態の衛生洗浄装置におけるＣＰＵとサブＣＰＵの通信回路のブロック図である。
【図１４】図１４は、本発明の実施の形態における電力制御装置の制御動作を説明するフローチャート図である。
【発明を実施するための形態】
【００１４】
以下、本発明の実施の形態における電力制御装置およびそれを備えた機器について、図面を参照しながら説明する。なお、この実施の形態によって本発明が限定されるものではない。
【００１５】
（実施の形態）
以下に、本実施の形態の電力制御装置およびそれを備えた機器について、トイレ装置などの衛生洗浄装置を例に、図を用いて説明する。
【００１６】
（トイレ装置の構成）
図１は、本発明の実施の形態における電力制御装置およびそれを備えた機器である衛生洗浄装置の外観を示す斜視図である。
【００１７】
図１に示すように、本実施の形態の衛生洗浄装置１００は、少なくとも本体２００と、便蓋２１０と、便座２２０と、リモートコントローラ４００などから構成される。そして、本体２００、便蓋２１０、便座２２０は、一体で構成され、便器１１０の上面に設置される。
【００１８】
なお、図１に示す衛生洗浄装置１００においては、本体２００の設置側を後方、便座２２０の設置側を前方とし、前方に向かって右側を右側、前方に向かって左側を左側として各構成要素の配置を説明する。
【００１９】
本体２００は、便蓋２１０および便座２２０が、便座便蓋回動機構２１５を介して開閉可能に取り付けられている。便座便蓋回動機構２１５は、例えば直流モータと複数のギアなどで構成され、便蓋２１０と便座２２０を個別または同時に開閉する。そして、便蓋２１０を開放した場合、図１に示すように、便蓋２１０は、衛生洗浄装置１００の最後部に位置するように起立する。一方、便蓋２１０を閉成すると便座２２０の上面を隠蔽する。
【００２０】
また、便座２２０は便座ヒータ２２１を内蔵し、便座ヒータ２２１は便座２２０の着座面が快適な温度になるように、例えば４０度程度に加熱する。
【００２１】
また、本体２００の内部には、洗浄水供給機構（図示せず）、熱交換器（図示せず）、洗浄ノズル２３１などで構成された人体の局部を洗浄する洗浄機構２３０と、洗浄後の局部を乾燥する乾燥装置（図示せず）と、本体制御部２４０などが内蔵されている。洗浄ノズル２３１は、本体２００の下部中央に設置されている。
【００２２】
洗浄機構２３０は、本体２００の内部に設置された洗浄水供給機構（図示せず）と、洗浄水を加熱する熱交換器（図示せず）と、洗浄水の流量を調整する流量調節機構（図示せず）などから構成され、洗浄ノズル２３１に接続されている。そして、水道配管から供給される洗浄水を熱交換器で加熱し、加熱した温水を洗浄ノズル２３１に供給し、洗浄ノズル２３１から使用者の局部に向けて噴出する。これにより、使用者の局部を、温水で洗浄する。
【００２３】
洗浄ノズル２３１は、お尻を洗浄するお尻洗浄ノズル部と、女性の局部を洗浄するビデノズル部を備えている。さらに、洗浄ノズル２３１は、本体２００内に収容した収納位置と本体２００から突出して洗浄動作を行う洗浄位置との間を進退移動するノズル駆動機構（図示せず）を備えている。
【００２４】
また、本体２００の前面コーナ部には、例えば反射型の赤外線センサなどからなる着座検知センサ２５０が設置されている。そして、着座検知センサ２５０が、赤外線を発光し、人体で反射された赤外線を受光することにより、便座２２０上に使用者が存在することを検出する。
【００２５】
また、本体２００の右側には、本体２００と一体に突出して形成された袖部２６０が設けられている。袖部２６０の上面には、本体操作部２６１と、リモートコントローラ４００から送信される赤外線信号を受信する本体受信部である赤外線受信部２６２が配置されている。本体操作部２６１には、電源スイッチ２６１ａと、使用頻度の高いお尻洗浄機能を操作するお尻洗浄スイッチ２６１ｂが配置されている。
【００２６】
また、図１に示すように、リモートコントローラ４００は、本体２００とは別体で構成されて、便座２２０上に着座した使用者が操作しやすい位置、例えばトイレルームの壁面などの場所に取り付けられる。リモートコントローラ４００には、トイレルームに入出した使用者を検知する人体検知センサ３００と、衛生洗浄装置１００の各機能の操作と設定を行う複数のスイッチ機能と、表示機能などが配置されている。
【００２７】
以下に、本実施の形態の衛生洗浄装置１００の動作について、簡単に説明する。
【００２８】
まず、トイレルームに使用者が存在しない場合、衛生洗浄装置１００は、便座ヒータ２２１への通電を停止、もしくは２０℃程度の待機温度になるように通電して便座２２０を保温している。
【００２９】
このとき、トイレルームに使用者が入室すると、人体検知センサ３００からの人体検知信号を受け、便座ヒータ２２１に通電を行う。なお、便座ヒータは、８００Ｗ程度の非常に高出力のヒータから構成されている。そこで、使用者がトイレルームに入室してから便座２２０に着座するまでの、例えば６秒から１０秒程度の間に、便座２２０の着座面を、例えば４０℃程度の設定温度まで昇温する。
【００３０】
そして、便座２２０が設定温度に達した後、便座ヒータ２２１への通電を５０Ｗ程度の低ワットに下げて設定温度を保つ。
【００３１】
その後、使用者がトイレルーム内から出ると、便座ヒータ２２１への通電を停止、もしくは２０℃程度の待機温度となるように通電する。これにより、トイレルームに使用者がいないときの、衛生洗浄装置１００の消費電力を、大幅に削減している。
【００３２】
なお、本実施の形態の衛生洗浄装置１００において、上記で説明した洗浄ノズル２３１などからなる洗浄機構２３０と乾燥装置は必須の構成要素ではないので、これらの構成要素を備えていない衛生洗浄装置１００の構成でもよい。
【００３３】
（衛生洗浄装置の動作および作用）
以下に、本実施の形態の衛生洗浄装置の動作および作用について、図１を参照しながら、図２を用いて説明する。
【００３４】
図２は、同実施の形態における衛生洗浄装置の制御系のブロック図である。
【００３５】
図１と図２に示すように、まず、リモートコントローラ４００の人体検知センサ３００が人体を検出すると、人体検知信号をリモートコントローラ４００の赤外線送信部４３６から送信する。送信された人体検知信号は、本体２００の本体受信部（赤外線受信部）２６２で受信された後、本体制御部２４０に送信（伝達）される。伝達された人体検知信号に基づいて、本体制御部２４０は、便座便蓋回動機構２１５を駆動して便蓋２１０を開放する。そして、便座２２０の着座面が１０秒以内に４０℃程度になるように、便座２２０の便座ヒータ２２１への通電を開始して昇温する。
【００３６】
つぎに、使用者が、便座２２０に着座すると、本体２００の着座検知センサ２５０により使用者の着座を検出する。そして、本体制御部２４０が着座信号を受信すると、本体２００のお尻洗浄スイッチ２６１ｂおよびリモートコントローラ４００の洗浄機能の使用者の操作が可能となる。
【００３７】
つぎに、使用者が用便を終了すると、使用者が設定する、お尻洗浄スイッチ２６１ｂおよびリモートコントローラ４００の洗浄条件に基づいて、洗浄機構２３０により局部の洗浄を行う。そして、洗浄が終了すると、使用者は便座２２０から立ち上がってトイレルームから退出する。これにより、リモートコントローラ４００の人体検知センサ３００からの人体検知信号の送信を停止する。
【００３８】
つぎに、人体検知が終了してから所定時間経過後（例えば、５分後）、本体制御部２４０は、便座便蓋回動機構２１５を駆動して便蓋２１０を自動的に閉塞する。そして、便座ヒータ２２１への通電を停止する。その後、再び使用者がトイレルームに入室して、トイレ装置を使用するまで、本体制御部２４０は待機電力を大幅に低下する待機電力モードに移行する。
【００３９】
（リモートコントローラの構成）
以下に、本実施の形態の衛生洗浄装置のリモートコントローラの構成について、図２を参照しながら、図３から図５を用いて説明する。
【００４０】
図３は、同実施の形態におけるリモートコントローラの外観を示す斜視図である。図４は、同実施の形態におけるリモートコントローラのフロントパネルを開放した状態を示す正面図である。図５は、図３に示す５−５線断面図である。
【００４１】
図３に示すように、リモートコントローラ４００は、全体形状が薄い直方体で形成されている。そして、リモートコントローラ４００は、例えば樹脂材料で成形された箱状のリモコン本体４０１と、リモコン本体４０１の前面を覆うフロントパネル４０２で構成されている。フロントパネル４０２は、リモコン本体４０１の前面下端部で開閉自在に枢支されている。具体的には、リモコン本体４０１の上端近傍の左右に設けた磁石４０１ａと、フロントパネルの磁石４０１ａに対応する位置に設けたステンレス製の受板４０２ｃにより、磁力を介して、フロントパネル４０２の閉塞状態を維持している。
【００４２】
なお、通常、リモートコントローラ４００は、図３に示すようにフロントパネル４０２を閉塞した状態で使用される。しかし、リモートコントローラ４００の設定および、通常あまり使用しない操作を行う場合は、図４に示すようにフロントパネル４０２を開放して使用される。
【００４３】
図２と図４に示すように、リモートコントローラ４００を開放したリモコン本体４０１の前面の上部には、衛生洗浄装置１００の使用時に多く使用する操作スイッチ４１０および人体検知センサ３００が配置されている。一方、リモコン本体４０１の前面の下部には、衛生洗浄装置１００の機能の設定を行う設定スイッチ４２０と、通常あまり使用しない操作スイッチ４１０が配置されている。また、リモコン本体４０１の前面の中央部には、非接触による操作で使用する２個の照度センサ４４０と非接触による操作と同様な操作が可能な操作スイッチ４１０が配設されている。なお、上記操作スイッチ４１０や設定スイッチ４２０は、スイッチの操作部に直接接触して操作する接触スイッチであるタクトスイッチにより構成されている。
【００４４】
また、図３に示すように、リモートコントローラ４００のフロントパネル４０２を閉塞した状態で、通常、使用する操作スイッチ４１０として、フロントパネル４０２には、ビデ洗浄スイッチ４１１と、お尻洗浄スイッチ４１２と、乾燥スイッチ４１３と、停止スイッチ４１４と、便座開スイッチ４１５と、便座閉スイッチ４１６が配置されている。ビデ洗浄スイッチ４１１は、女性の局部洗浄を開始するスイッチである。お尻洗浄スイッチ４１２は、お尻の洗浄を開始するスイッチである。乾燥スイッチ４１３は、洗浄後の臀部の乾燥を開始するスイッチである。停止スイッチ４１４は、ビデ洗浄スイッチ４１１とお尻洗浄スイッチ４１２と乾燥スイッチ４１３で開始した動作を停止させるスイッチである。便座開スイッチ４１５は、便座２２０を起立させるスイッチである。便座閉スイッチ４１６は、便座２２０を倒置するスイッチである。なお、便座開スイッチ４１５と便座閉スイッチ４１６は同一垂線上に、所定の間隔をあけて配設されている。
【００４５】
また、図４に示すように、フロントパネル４０２を開放した状態でのみ使用可能な操作スイッチ４１０として、リモコン本体４０１には、例えばリズムスイッチ４１７と、ワイドスイッチ４１８、ムーブスイッチ４１９などが配置されている。リズムスイッチ４１７は、お尻洗浄の洗浄水を強弱に変化させるスイッチである。ワイドスイッチ４１８は、お尻洗浄時の洗浄水の噴出範囲を拡大、縮小するスイッチである。ムーブスイッチ４１９は、洗浄中の洗浄位置を前後に繰り返して移動させるスイッチである。
【００４６】
さらに、図４に示すように、リモコン本体４０１には、強度表示灯４３１と、温水温度表示灯４３２と、便座温度表示灯４３３と、電池表示灯４３４が配設されている。強度表示灯４３１は、強度スイッチ４２１の近傍に設けられ、洗浄水の強弱のレベルを表示する。温水温度表示灯４３２は、温水温度スイッチ４２３の近傍に設けられ、設定された温水温度のレベルを表示する。便座温度表示灯４３３は、便座温度スイッチ４２４の近傍に設けられ、設定された便座温度のレベルを表示する。電池表示灯４３４は、電池の消耗状態を表示する。
【００４７】
また、図４に示すように、リモコン本体４０１には、第一照度センサ４４１と、第二照度センサ４４２と、センサ検知表示灯４３５が配設されている。第一照度センサ４４１は、便座開スイッチ４１５の下方に近接して設けられている。第二照度センサ４４２は、便座閉スイッチ４１６の下方に近接して設けられている。
【００４８】
そして、センサ検知表示灯４３５は、便座開スイッチ４１５と便座閉スイッチ４１６の略中間（中間を含む）の位置に配設されている。なお、センサ検知表示灯４３５は、トイレルームが暗すぎて、第一照度センサ４４１および第二照度センサ４４２が照度の変化を十分に検知できない場合に、点滅表示する。一方、センサ検知表示灯４３５は、ジェスチャ操作を検出したときに、点灯表示をする。なお、ジェスチャ操作とは、使用者が、例えば第一照度センサ４４１および第二照度センサ４４２からなる２個の照度センサ４４０に亘って近接して手を動かすジェスチャにより、所定の操作を行うことを意味する。
【００４９】
つまり、非接触スイッチから構成される第一照度センサ４４１と第二照度センサ４４２に近接して、使用者が手を移動させるジェスチャを行う。これにより、照度の変化を検出して、移動の方向を判定し、移動方向に対応して、例えば便座２２０を起倒するジェスチャ操作が行われる。具体的には、例えば使用者が下から上に手を移動させることにより、第二照度センサ４４２から第一照度センサ４４１の順に照度変化を検出した場合、便座２２０を起立させる。一方、例えば使用者が上から下に手を移動させることにより、第一照度センサ４４１から第二照度センサ４４２の順に照度変化を検出した場合、便座２２０を倒置させる。これにより、照度不足の場合でも、ジェスチャ操作を介して、非接触で便座２２０の開閉操作ができる。
【００５０】
また、図３と図４に示すように、リモコン本体４０１の上面コーナ部には、例えば発光素子として赤外線発光ダイオードを備える赤外線送信部４３６が配置されている。赤外線送信部４３６は、リモートコントローラ４００の操作情報および設定情報を本体２００の袖部２６０に設置された赤外線受信部２６２に送信する。
【００５１】
また、図２および図５に示すように、リモートコントローラ４００のフロントパネル４０２は、略平板状（平板状を含む）の樹脂製のパネル枠４０２ａと、裏蓋４０２ｂと、複数の操作ボタン４０３とから構成されている。操作ボタン４０３は、リモコン本体４０１に設置した操作スイッチ４１０をフロントパネル４０２の表面から操作するボタンである。つまり、操作ボタン４０３は、フロントパネル４０２を閉塞した状態で、ビデ洗浄スイッチ４１１と、お尻洗浄スイッチ４１２と、乾燥スイッチ４１３と、停止スイッチ４１４と、便座開スイッチ４１５と、便座閉スイッチ４１６を操作するために、それらの位置に対応して設置されている。
【００５２】
また、リモートコントローラ４００のフロントパネル４０２には、第一照度センサ４４１と第二照度センサ４４２と強度表示灯４３１と電池表示灯４３４に対応する部分に透明な樹脂材料で形成された透過部４０４が配設されている。これにより、フロントパネル４０２の表面から強度表示灯４３１と電池表示灯４３４を視認できる。さらに、透過部４０４を介して、第一照度センサ４４１と第二照度センサ４４２は照度変化を検出できるため、フロントパネル４０２を閉塞した状態でジェスチャ操作が可能となる。
【００５３】
なお、本実施の形態では、ジェスチャ操作により、第一照度センサ４４１と第二照度センサ４４２の照度変化を検知して便蓋２１０や便座２２０の起倒動作を実施する。そのため、使用者が設定条件を変更する場合に、フロントパネル４０２の開閉動作の途中に発生する陰影による照度変化をジェスチャ操作として誤検知する可能性がある。そこで、図２に示すように、フロントパネル４０２の開閉状態を検知する開閉検知センサ４３７を設けている。これにより、フロントパネル４０２の開閉動作中は第一照度センサ４４１と第二照度センサ４４２の照度変化を検知しても便座２２０の起倒動作を実施しないようにしている。
【００５４】
（リモートコントローラの制御系の構成）
以下に、本実施の形態の衛生洗浄装置のリモートコントローラの制御系の構成について、図２を参照しながら説明する。
【００５５】
図２に示すように、リモートコントローラ４００は、情報入力部として人体検知センサ３００と、開閉検知センサ４３７と、操作スイッチ４１０と、設定スイッチ４２０と、照度センサ４４０を備えている。また、出力部として、本体２００に制御情報を赤外線で送信する赤外線送信部４３６と、制御情報を表示する表示灯４３０を備えている。さらに、リモートコントローラ４００の駆動源として電池４５０を備えている。
【００５６】
また、リモートコントローラ４００のリモコン制御部５００は、図示しないが、さらにセンサ検出部と、スイッチ操作検出部と、ジェスチャ検出部とを備えている。センサ検出部は、センサの検知信号を検出する。スイッチ操作検出部は、操作スイッチ４１０と設定スイッチ４２０のスイッチ操作を検出する。ジェスチャ検出部は、第一照度センサ４４１と第二照度センサ４４２で構成する照度センサ４４０からのジェスチャ操作信号をデジタル信号化して検出する。これにより、各種の操作情報を処理する。
【００５７】
なお、上述したように、ジェスチャ検出部は、照度センサ４４０の検出電圧をＡ／Ｄコンバータを介してデジタル信号化してデジタル処理を行う。しかし、ジェスチャ検出部は、消費電力が大きくリモートコントローラ４００の電源である電池４５０の消耗に大きく影響する。そこで、本実施の形態においては、人体検知センサ３００が人体を検知している間のみ、ジェスチャ検出部を駆動する構成としている。これにより、人体を検出していない間は、ジェスチャ検出部を休止させ、電池４５０の消耗を抑制している。
【００５８】
また、リモートコントローラ４００は、ジェスチャ操作の検出を行うために、照度センサ４４０を駆動するセンサ駆動部と、照度センサ４４０の感度を調整する感度調整部と、をさらに備えている。感度調整部は、リモートコントローラ４００が設置されている場所の明るさの変化に応じて、ジェスチャ操作を検出する基準となる基準電圧と、ジェスチャ操作を検出する検出閾値を調整する。このとき、リモートコントローラ４００の設置場所が暗すぎて基準電圧の調整範囲を超える場合、図３や図４に示すセンサ検知表示灯４３５を点滅表示して、使用者にジェスチャ操作ができないことを報知する。
【００５９】
また、リモートコントローラ４００のリモコン制御部５００は、図示しない電池４５０の残量を検出する電池検査部と、制御情報を表示する表示灯４３０を駆動する表示灯駆動部と、計時情報を提供するタイマを備えている。さらに、リモコン制御部５００の情報処理機能として、主にマイコンで構成される情報処理部を備えている。
【００６０】
以上により、本実施の形態の衛生洗浄装置のリモートコントローラの制御系が構成されている。
【００６１】
つまり、図２に示すように、上記構成を有するリモートコントローラ４００は、操作部である操作スイッチ４１０と、設定スイッチ４２０と、第一照度センサ４４１と、第二照度センサ４４２から各種の操作情報が入力される。そして、入力された操作情報に基づいて、どのような操作がされたかを、リモコン制御部５００の情報処理部で判定し、表示灯駆動部を介して所定の表示灯４３０を点灯させ、使用者に認識させる。
【００６２】
さらに、リモートコントローラ４００のリモコン制御部５００は、赤外線送信部４３６から本体２００の赤外線受信部２６２に制御信号を送信する。これにより、本体制御部２４０は、送信された制御信号に基づいて、衛生洗浄装置１００の各種機能の制御を行う。
【００６３】
（電力制御装置の構成）
以下に、本実施の形態の衛生洗浄装置の電力制御装置の構成について、図１から図５を参照しながら、図６を用いて説明する。
【００６４】
図６は、同実施の形態における電力制御装置を例示するブロック図である。
【００６５】
図６に示すように、本実施の形態の電力制御装置は、少なくとも主電源１０４と、補助電源１０９とから構成されている。主電源１０４は、主電源入力部１０２と、主電源制御素子を構成する、例えば主電源制御ＩＣ２５を有する主電源出力部１０３とから構成されている。そして、主電源１０４は、衛生洗浄装置１００の機能部である洗浄機構２３０や便座ヒータ２２１および熱交換器ヒータ、脱臭ファン、乾燥ファンなどの、本体制御部２４０によって制御される出力側負荷１０５に電力を供給する。
【００６６】
一方、補助電源１０９は、補助電源入力部１０６と、補助電源出力部１０７と、補助電源モード切換制御部１０８とから構成されている。そして、補助電源１０９は、制御部を構成する、例えばＣＰＵ２２と、２次側負荷２３に電力を供給する。ＣＰＵ２２は、使用検知部１１１からの信号に基づいて、待機電力モードと通常電力モードの切換指示を出力する。なお、２次側負荷２３は、便座温度を検知する便座サーミスタや、熱交換器への入水温度を検知する入水サーミスタや、熱交換器からの出湯温度を検知する出湯サーミスタおよび便座２２０や熱交換器の温度過昇防止回路などである。さらに、ＣＰＵ２２は、リレー２６を介して、商用電源と主電源１０４との接続および遮断を制御する。
【００６７】
なお、上述の（衛生洗浄装置の動作および作用）で説明したリモートコントローラ４００および本体受信部（赤外線受信部）２６２が、図６に示す使用検知部１１１に相当し、使用検知部１１１からの使用検知信号がＣＰＵ２２に送信される。
【００６８】
また、使用検知部１１１としては、使用者がリモートコントローラ４００の操作スイッチ４１０を操作して、リモートコントローラ４００から本体受信部（赤外線受信部）２６２に送信する構成も含まれる。
【００６９】
さらに、使用検知部１１１としては、使用者が手動で便蓋２１０や便座２２０を開いたときも、機器が使用される信号として便座便蓋回動機構２１５からの信号をＣＰＵ２２へ送信する構成も含まれる。
【００７０】
さらにまた、本体操作部２６１のお尻洗浄スイッチ２６１ｂが操作された場合のように、本体操作部２６１から機器が使用される信号としてＣＰＵ２２へ送信される構成も使用検知部１１１に含まれる。
【００７１】
また、図６に示すように、補助電源１０９は、補助電源入力部１０６に設けた１次巻線１１２と、補助電源出力部１０７に設けた２次巻線１１３と、補助電源制御素子を構成する、例えば補助電源制御ＩＣ２１を備えた補助電源モード切換制御部１０８に設けた補助２次巻線１１４から構成されるトランス１１５を備えている。
【００７２】
以上により、本実施の形態の衛生洗浄装置１００の電力制御装置が構成されている。
【００７３】
このとき、使用検知部１１１からの使用検知信号（機器を使用されていないことを示す信号）がＣＰＵ２２に送信されると、ＣＰＵ２２は待機電力モードへの切換指示により主電源１０４への商用電力の供給を遮断する。同時に、ＣＰＵ２２自体が低速モードである待機電力モードに移行する。さらに、トランス１１５の２次巻線１１３の電流低下による補助２次巻線１１４の電流低下により、補助電源モード切換制御部１０８の補助電源制御ＩＣ２１が補助電源１０９の間欠駆動停止を繰り返す待機電力モードとなる。これにより、待機電力を限りなくゼロに近づけることができる。その結果、待機電力を大幅に低減できる電力制御装置およびそれを備えた機器を実現できる。
【００７４】
（電力制御装置の動作および作用）
以下に、本実施の形態の電力制御装置の動作および作用について、図６を参照しながら説明する。
【００７５】
まず、上述の（衛生洗浄装置の動作および作用）で待機電力モードを説明したように、使用検知部１１１からＣＰＵ２２へ送信される信号が待機電力モードに移行させる条件になると、ＣＰＵ２２は、図６に示す２次側負荷遮断用素子２４により、２次側負荷２３を遮断する。同時に、ＣＰＵ２２自らも高速モードから低速モードに移行する。これにより、トランス１１５の２次巻線１１３側の電力負荷がさらに小さくなる。
【００７６】
つまり、使用検知部１１１からの機器を使用されていない使用検知信号をＣＰＵ２２が受信すると、ＣＰＵ２２は２次側負荷遮断用素子２４により、２次側負荷２３を遮断する。同時に、ＣＰＵ２２自らも高速モードから低速モードに移行する。これにより、図６に示すように、トランス１１５の２次巻線１１３に流れる電流がＩａからＩｂに減少し、待機電力が減少する。さらに、２次側負荷２３に応じて、トランス１１５の補助２次巻線１１４に流れる電流もＩｃからＩｄに変化する。
【００７７】
例えば、図６において、補助電源制御ＩＣ２１のＦＢ端子にかかる電圧ＶＦＢの、通常動作時（トランス１１５の２次巻線１１３に流れる電流がＩａの場合）における電圧ＶＦＢ１は、ＶＦＢ１＝（Ｒ２＋Ｒ３）×Ｉｃ／（Ｒ１＋Ｒ２＋Ｒ３）となる。
【００７８】
一方、ＣＰＵ２２が２次側負荷を遮断すると、トランス１１５の２次巻線１１３に流れる電流がＩａからＩｂに減少する待機電力モード動作に移行する。このとき、待機電力モード動作時の補助電源制御ＩＣ２１のＦＢ端子にかかる電圧ＶＦＢ２は、ＶＦＢ２＝（Ｒ２＋Ｒ３）×Ｉｄ／（Ｒ１＋Ｒ２＋Ｒ３）となる。
【００７９】
そして、補助電源制御ＩＣ２１のＦＢ端子にかかる電圧ＶＦＢ２が、所定の電圧Ｖｒｅｆよりも低下すると、補助電源制御ＩＣ２１自体が待機電力モードとなるように作用する。
【００８０】
すなわち、ＣＰＵ２２が２次側負荷２３を遮断し、ＣＰＵ２２自体を低速モードとし、かつ補助電源モード切換制御部１０８により補助電源制御ＩＣ２１自体が待機電力モードになると、補助電源制御ＩＣ２１が間欠駆動停止を繰り返す待機電力モードに移行する。なお、本実施の形態では、補助電源制御ＩＣ２１は、待機電力モード時において、例えば１ｍｓ駆動、２４ｍｓ停止の間欠駆動停止の動作を繰り返す状態になる。
【００８１】
なお、補助電源制御ＩＣ２１のＦＢ端子にかかる電圧ＶＦＢ２が、所定の電圧Ｖｒｅｆよりも低下すると、補助電源制御ＩＣ２１自体が待機電力モードとなるように、補助２次巻線１１４の出力電流Ｉｄ、抵抗Ｒ１、Ｒ２、Ｒ３を適切に設定してあることはいうまでもない。
【００８２】
以上で説明したように、本実施の形態の電力制御装置は、使用検知部１１１からの信号により通常電力モードから待機電力モードへ移行させる条件になると、まず、ＣＰＵ２２は主電源１０４への商用電力供給を遮断するとともに、補助電源１０９の２次側負荷２３を遮断する。
【００８３】
同時に、ＣＰＵ２２自体が低速モードである待機電力モードに移行する。そして、トランス１１５の２次巻線１１３の電流低下によるトランス１１５の補助２次巻線１１４の電流低下により、補助電源モード切換制御部１０８の補助電源制御ＩＣ２１が、補助電源の間欠駆動停止を繰り返す待機電力モードとなる。
【００８４】
これにより、主電源１０４への商用電力の供給が遮断されて、待機電力モード時において、主電源１０４および主電源の出力側負荷１０５での電力消費がなくなる。
【００８５】
また、補助電源１０９の２次側負荷２３が遮断され、補助電源１０９が間欠駆動停止を繰り返す待機電力モードになることにより、機器（衛生洗浄装置）を使用していないときの待機電力は、約０．００４ワット程度と限りなくゼロに近い値まで低減する。その結果、待機電力を大幅に低減できる電力制御装置およびそれを備えた機器（衛生洗浄装置）を実現できる。
【００８６】
なお、本実施の形態において、仮に補助電源モード切換制御部１０８がない構成の場合、電力制御装置は、以下のように動作する。
【００８７】
まず、電力制御装置は、使用検知部１１１からの信号により通常電力モードから待機電力モードへ移行させる条件になると、ＣＰＵ２２は主電源１０４への商用電力供給を遮断する。同時に、補助電源１０９の２次側負荷２３を遮断する。そして、ＣＰＵ２２自体が低速モードである待機電力モードに移行する。これにより、待機電力を約０．７ワット程度に小さくできる。
【００８８】
しかし、補助電源モード切換制御部１０８がない構成の場合、本実施の形態の電力制御装置の待機電力に対して、約１７５倍の桁違いの待機電力となる。つまり、本実施の形態の電力制御装置のように、補助電源モード切換制御部１０８を備えることにより、待機電力を大幅に低減する効果が大きいことがわかる。
【００８９】
（リモートコントローラの送信信号）
以下に、本実施の形態の衛生洗浄装置のリモートコントローラの送信信号について、図６を参照しながら、図７から図１０Ｂを用いて説明する。
【００９０】
まず、図６で示した使用検知部１１１の、特にリモートコントローラ４００から本体受信部である赤外線受信部２６２に送信されるリモコン信号について説明する。
【００９１】
本実施の形態の衛生洗浄装置は、上述したように、トイレルームに出入りする人を検知する人体検知センサ３００を搭載したリモートコントローラ４００を備えている。そして、人を検知、もしくはリモートコントローラ４００に配置されている操作スイッチ４１０を操作されると、赤外線送信部４３６から赤外線信号が送信される。送信された赤外線信号は、本体２００の本体受信部（赤外線受信部）で受信され、さらに受信された信号が本体２００内のＣＰＵ２２に入力される。
【００９２】
このとき、電力制御装置が、待機電力を低減する待機電力モードになっている場合、人体検知センサ３００が、人を検知、もしくは人によってリモートコントローラ４００の操作スイッチ４１０が操作されたことを検出したとき、電力制御装置を待機電力モードから通常モードに切り替える必要がある。
【００９３】
以下に、電力制御装置を待機電力モードから通常モードに切り替える動作について、図７を用いて説明する。
【００９４】
図７は、本発明の実施の形態の本体受信部（赤外線受信部）を例示するブロック図である。
【００９５】
図７に示すように、本実施の形態の本体受信部（赤外線受信部）２６２は、リモコン信号を受信する受信部（受光ユニット）２６２ａと補助電源１０９との間に、電源遮断素子２６２ｂを挿入して構成している。
【００９６】
そして、ＣＰＵ２２は、待機電力モード時において、電源遮断素子２６２ｂにより、リモコン信号を受信する受信部（受光ユニット）２６２ａを、１ｍｓオン、２４ｍｓオフする間欠駆動停止を繰り返すように制御する。
【００９７】
なお、従来の本体受信部（赤外線受信部）には、待機電力モード時にリモコン信号を受信する受信部（受光ユニット）を間欠駆動停止する電源遮断素子を備えてなかった。そのため、受信部（受光ユニット）に、常時通電されている。その結果、待機電力が大きく無駄に電力が消費されていた。
【００９８】
そこで、本実施の形態の本体受信部（赤外線受信部）２６２は、待機電力モード時において、リモコン信号を受信する受信部（受光ユニット）２６２ａの間欠駆動停止を繰り返すように動作する電源遮断素子２６２ｂを設けている。これにより、待機電力をさらに低減する。
【００９９】
しかしながら、電源遮断素子２６２ｂを設けた本体受信部（赤外線受信部）２６２の構成の場合、リモコン信号が受信されない場合や、誤動作する場合がある。
【０１００】
つまり、一般的に、リモートコントローラは、本実施の形態の衛生洗浄装置だけでなく、例えばエアコン、テレビ、ＤＶＤプレーヤーなど、ほとんどの電化製品に用いられている。そのため、家庭内にある他のリモートコントローラから送信されるリモコン信号により、衛生洗浄装置の本体受信部（赤外線受信部）２６２で、正しいリモコン信号が受信されない場合や、誤動作する場合がある。
【０１０１】
そこで、各機器から送信されるリモコン信号を識別するために、家電製品協会推奨の伝送信号フォーマットがある。
【０１０２】
以下に、一般的な、家電製品協会推奨の伝送信号フォーマットについて、図８Ａから図８Ｄを用いて説明する。
【０１０３】
図８Ａは、リモコン信号フォーマットを例示する説明図である。図８Ｂは、図８Ａのリーダ部の波形を示す説明図である。図８Ｃは、図８Ａのデータ部「０」の波形を示す説明図である。図８Ｄは、図８Ａのデータ部「１」の波形を示す説明図である。図８Ｅは、図８Ａのトレーラ部の波形を示す説明図である。
【０１０４】
図８Ａから図８Ｅに示すように、伝送信号は、「Ｈ」と「Ｌ」で構成され、リーダ部、データ部、トレーラ部から構成されている。伝送信号の構成は、家電製品協会によって定められ、各メーカーのリモコン信号による誤動作を防いでいる。
【０１０５】
そして、伝送信号を構成するリーダ部は信号の先頭部分を示し、データ部はメーカーを識別するためのメーカーコード、機器の識別を行うためのカスタムコード（機器コード）および機器の制御を行うためのデータコードなどで構成され、トレーラ部は信号の終了を示している。
【０１０６】
なお、図８Ｂから図８Ｅに示すＴは、パルスの基本時間を示し、例えば４３６μｓである。
【０１０７】
以下に、本実施の形態の待機電力モード時において、人体検知またはリモートコントローラ４００の操作スイッチ４１０が操作されたとき、確実にリモコン信号を受信して、通常モードと同等なリモコン受信機能を動作させるリモコン信号の構成、作用について、図９、図１０Ａおよび、図１０Ｂを用いて説明する。
【０１０８】
図９は、同実施の形態のリモコン信号を例示する構成図である。図１０Ａと図１０Ｂは、図９のダミーコードのデータコードと受信部の間欠駆動の動作を例示するタイミングチャート図である。
【０１０９】
図９から図１０Ｂに示すように、本実施の形態のリモコン信号は、図８Ａで説明したリーダ部、データ部、トレーラ部のリモコン信号の前段に、ダミーコードを備えて構成される。ダミーコードは、図８Ａのリーダ部、データ部、トレーラ部およびデータコードから構成されている。データコードは、データをすべて同じ、例えば「０」のビットデータで構成している。さらに、データコードは、ＣＰＵ２２の待機電力モードにおける受信部（受光ユニット）２６２ａの間欠駆動停止繰り返し周期の時間より長い時間となるように構成している。
【０１１０】
そして、本実施の形態では、人体の検知、またはリモートコントローラ４００の操作スイッチ４１０が操作された場合、リモートコントローラ４００の赤外線送信部４３６から本体受信部（赤外線受信部）２６２の受信部（受光ユニット）２６２ａに、ダミーコードを含むリモコン信号を送信する。
【０１１１】
このとき、リモコン信号は、所定フォーマットの前段の送信データ構成のダミーコードにおいて、３２ｂｉｔのデータコードのデータをすべて「０」にしている。これにより、図１０Ａおよび図１０Ｂに示すように、ダミーコードのデータコードの全体の長さが２７．９ｍｓ（２Ｔ×３２）になる。
【０１１２】
一方、衛生洗浄装置の電力制御装置は、待機電力モードにおいて、受信部（受光ユニット）２６２ａは、図１０Ａおよび図１０Ｂのように、１ｍｓオン、２４ｍｓオフで、間欠駆動停止が繰り返されている状態のリモコン信号を受信する。つまり、待機電力モードにおいて、電力制御装置の補助電源制御ＩＣ２１は、間欠駆動周期２５ｍｓで駆動されている。
【０１１３】
そのため、図１０Ａのダミーコードのデータコードの先頭と受信部（受光ユニット）２６２ａの間欠駆動の先頭が一致している場合、受信部２６２ａは、１ｍｓのオンのときに、ダミーコードのデータコード「０」の信号レベルが「Ｈ」→「Ｌ」もしくは「Ｌ」→「Ｈ」となる信号変化を必ず検出できる。また、図１０Ｂのダミーコードのデータコードの先頭と受信部（受光ユニット）２６２ａの間欠駆動の先頭が一致していない場合、受信部２６２ａは、１ｍｓのオンのときにダミーコードのデータコード「０」の信号レベルが「Ｈ」→「Ｌ」もしくは「Ｌ」→「Ｈ」となる信号変化を必ず検出できる。
【０１１４】
これにより、電力制御装置が待機電力モード中で、受信部（受光ユニット）２６２ａが間欠駆動中の場合でも、ＣＰＵ２２はダミーコードを含むリモコン信号が送信されてきたことを必ず認識できる。その結果、ＣＰＵ２２を待機電力モードから通常モードに移行できる。
【０１１５】
つまり、本実施の形態は、待機電力モード時でも、人体の検知、またはリモートコントローラ４００の操作スイッチ４１０が操作された場合、確実にリモコン信号を受信して通常モード時の動作と同等なリモコン受信機能を動作できる。
【０１１６】
以下に、本実施の形態において、ダミーコードのデータコードを３２ｂｉｔで構成し、データコードのデータをすべて「０」にしている理由について、説明する。
【０１１７】
上述したように、データコードの３２ｂｉｔをすべて「０」にすると、データコードの全体の長さが２７．９ｍｓになり、受信部２６２ａの間欠駆動停止の繰り返し周期２５ｍｓの時間より長い時間となる。これにより、ダミーコードのデータコードの送信期間に、受信部２６２ａの間欠駆動のオン／オフするタイミングを必ず重ねることができる。その結果、待機電力モードから通常電力モードに確実に移行できる。
【０１１８】
また、ダミーコードのデータコードの「０」の「Ｌ」期間は０．４３６ｍｓで、受信部２６２ａのオン時間１ｍｓより短い。そのため、「Ｈ」→「Ｌ」もしくは「Ｌ」→「Ｈ」となる信号変化を必ず検出することができる。しかし、図８Ｄで示すように、例えばデータ部の「１」の「Ｌ」期間は１．３０８ｍｓ（３Ｔ）で、受信部２６２ａのオン時間１ｍｓより長い。そのため、ダミーコードのデータコードを「１」とすると、「Ｈ」→「Ｌ」もしくは「Ｌ」→「Ｈ」となる信号変化を必ずしも検出できない場合が発生する。そのため、データコードの３２ｂｉｔをすべて「０」としている。
【０１１９】
なお、リモコン信号は、リーダ部、メーカーまたは機種に対応した所定のフォーマットの信号からなるデータ部、トレーラ部により構成される。トレーラ部の前段のデータコードは、ＣＰＵ２２の待機モードにおける受信部（受信ユニット）２６２ａの間欠駆動停止の繰り返し周期の時間より長い時間に構成し、かつそのデータをすべて同じビットデータにしたダミーコードとしている。上記条件を満たせば、ダミーコードのデータコードの信号レベルが「Ｈ」→「Ｌ」もしくは「Ｌ」→「Ｈ」となる信号変化を必ず検出できる。つまり、受信部２６２ａのオン時間を１ｍｓよりも長い時間にすることによって、上記条件を満たすことができる。
【０１２０】
また、リモコン信号は、確実に受信部（受信ユニット）２６２ａが確実に受信できるように、ダミーコードと所定フォーマットの送信データの組み合わせを、もう一組組み合わせて１つの信号としている。
【０１２１】
しかし、ダミーコードのデータコードを「０」にすると、受信部２６２ａのオン時間を最も短くして、上記条件を満たすことができる。その結果、待機電力を最も少なくできる。
【０１２２】
以上のように、リモートコントローラ４００から送信するリモコン信号を構成することにより、待機電力をより低減できる。つまり、間欠駆動停止する待機電力モード時の場合でも、人体の検知、またはリモートコントローラ４００の操作スイッチ４１０が操作されたときに、確実にリモコン信号を受信して、通常モード時の動作と同等なリモコン受信機能で衛生洗浄装置を動作させることができる。
【０１２３】
（便座・便蓋開閉検知回路の構成）
以下に、本実施の形態の電力制御装置を用いた衛生洗浄装置において、便蓋２１０および便座２２０が手動で開閉された場合に、待機電力モードから通常モードへ切り替える回路構成について、図２を参照しながら、図１１Ａから図１１Ｄを用いて説明する。
【０１２４】
図１１Ａは、従来の衛生洗浄装置における便座・便蓋開閉角度検出回路を説明するブロック図である。図１１Ｂは、図１１Ａの改良案を例示するブロック図である。図１１Ｃは、本発明の実施の形態における衛生洗浄装置の別の構成の便座・便蓋開閉角度検出回路を例示するブロック図である。図１１Ｄは、図１１Ｃの補足説明図である。図１１Ｅは、図１１Ｃの補足説明図である。
【０１２５】
図２に示すように、自動で便座２２０および便蓋２１０を開閉する衛生洗浄装置の構成の場合、本体２００には、便座便蓋回動機構２１５と、開閉角度検出用センサ２１５ａを、さらに備えている。便座便蓋回動機構２１５は、便座２２０および便蓋２１０を開閉する操作スイッチ４１０によって、便座２２０および便蓋２１０を開閉させる。開閉角度検出用センサ２１５ａは、便座２２０および便蓋２１０をスムーズに開閉させるために、便座２２０および便蓋２１０の開閉角度を検出する。
【０１２６】
まず、従来の衛生洗浄装置の便座・便蓋開閉角度検出回路について、図１１Ａを用いて説明する。
【０１２７】
図１１Ａに示すように、従来の便座・便蓋開閉角度検出回路の場合、待機電力モードの時、常時、開閉角度検出用センサ２１５ａの抵抗に電流が流れる。そのため、待機電力モード時の消費電力が上がる。
【０１２８】
そこで、図１１Ｂに示す従来の便座・便蓋開閉角度検出回路の改良案ように、開閉角度検出用センサ２１５ａへの通電を入／切できる電源切換素子２１５ｂを設け、ＣＰＵ２２によって電源切換素子２１５ｂの制御を行う。これにより、常時、開閉角度検出用センサ２１５ａの抵抗に電流が流れることを防止して、消費電力の上昇を抑制している。
【０１２９】
しかし、通常、便座２２０、便蓋２１０の開閉に応じて、ＣＰＵ２２にはＡ／Ｄ信号が入力される。そのため、仮に開閉角度検出用センサ２１５ａを流れる電流を遮断しても、Ａ／Ｄ信号でＣＰＵ２２に入力すると、例えば処理時間などの関係で、ＣＰＵ２２の消費電力が大きくなる。つまり、消費電力を大幅に低減できない場合がある。
【０１３０】
そこで、図１１Ｃに示すように、本実施の形態の便座・便蓋開閉検知回路は、待機電力モードの時、Ａ／Ｄ信号を、通常のＨ／Ｌ入力信号に切り換えて、ＣＰＵ２２自体も待機の状態にして電力を抑える構成としている。
【０１３１】
つまり、図１１Ｃの便座・便蓋開閉検知回路は、開閉角度検出用センサ２１５ａのセンサ出力およびＡ／Ｄ入力から、ある一定の入力以上になると、「Ｌ」→「Ｈ」に切り替えるコンパレータ２１５ｃを備えている。
【０１３２】
このとき、図１１Ｄに示すように、コンパレータ２１５ｃは、便座２２０および便蓋２１０の開閉角度に応じた電圧Ｖｉｎがコンパレータ２１５ｃの＋端子側に入力される。一方、コンパレータ２１５ｃの−端子側には、抵抗Ｒ１および抵抗Ｒ２によって決まる基準電圧Ｖｒｅｆである、Ｒ１×Ｖ／（Ｒ１＋Ｒ２）の電圧が入力される。そして、コンパレータ２１５ｃの＋端子側に入力された電圧Ｖｉｎが、基準電圧Ｖｒｅｆ以下になると、コンパレータ２１５ｃの出力Ｖｏｕｔが「Ｈ」→「Ｌ」となる。また、コンパレータ２１５ｃの＋端子側に入力された電圧Ｖｉｎが、基準電圧Ｖｒｅｆ以上の電圧になると、コンパレータ２１５ｃの出力Ｖｏｕｔが「Ｌ」→「Ｈ」となる。
【０１３３】
なお、上記基準電圧Ｖｒｅｆは、便座２２０、便蓋２１０の開閉角度が中間の位置になったときに、コンパレータ２１５ｃの出力信号Ｖｏｕｔが反転するように、抵抗Ｒ１および抵抗Ｒ２の値を決めることが好ましい。
【０１３４】
以下に、本実施の形態の便座・便蓋開閉検知回路の具体的な動作について、説明する。
【０１３５】
通常電力モードで衛生洗浄装置が動作している場合、図１１Ｃに示すＣＰＵ２２は、電源切換１および電源切換２から「Ｈ」を出力して、常時、開閉角度検出用センサ２１５ａの電源切換素子２１５ｂをＯＮ状態にする。そして、ＣＰＵ２２は、Ａ／Ｄ入力１およびＡ／Ｄ入力２に切り換えて、角度位置の情報を検知できるようにする。
【０１３６】
一方、ＣＰＵ２２が待機電力モードになった場合、まず、電源切換１および電源切換２の出力を、１ｍｓＯＮ、１５０ｍｓＯＦＦの間欠通電に切り換える。同時に、ＣＰＵ２２のＡ／Ｄ入力１およびＡ／Ｄ入力２から、Ｈ／Ｌ入力１およびＨ／Ｌ入力２に切り換える。これにより、開閉角度検出用センサ２１５ａの消費電流とＣＰＵ２２自体の消費電流を抑える。
【０１３７】
そして、待機電力モードの間において、開閉角度検出用センサ２１５ａの電源切換素子２１５ｂがＯＮの時に、開閉角度検出用センサ２１５ａの電圧Ｖｉｎがコンパレータ２１５ｃの−端子に入力される。
【０１３８】
このとき、図１１Ｅに示すように、便座２２０、便蓋２１０の開閉角度が中間より閉側（Ｖｉｎ＜Ｖｒｅｆ）の場合、コンパレータ２１５ｃの出力が「Ｌ」のままで、待機電力モードを維持する。一方、便座２２０、便蓋２１０の開閉角度が中間より開側（Ｖｉｎ＞Ｖｒｅｆ）の場合、コンパレータ２１５ｃの出力は「Ｌ」から「Ｈ」となる。これにより、ＣＰＵ２２は、待機電力モードから通常電力モードに切り換えて、通常電力モード時の動作を実行する。
【０１３９】
以上のように、便座・便蓋開閉検知回路を構成することにより、便座２２０、便蓋２１０の開閉に応じて、ＣＰＵ２２は待機電力モードと通常電力モードに切り換える。これにより、待機電力モード時の待機電力を、より低減して省電力化を図ることができる。また、通常の連続通電時と同等にスムーズな便座、便蓋の開閉動作を実現できる。
【０１４０】
（サブＣＰＵとの通信）
以下に、本実施の形態の電力制御装置を用いた衛生洗浄装置において、本体操作部２６１のサブＣＰＵ２７と、本体制御部２４０のＣＰＵ２２との通信について、図１２Ａから図１３Ｃを用いて説明する。
【０１４１】
図１２Ａは、従来の衛生洗浄装置における電力制御装置のＣＰＵとサブＣＰＵの通信回路を説明するブロック図である。図１２Ｂは、図１２ＡのＣＰＵとサブＣＰＵの通信信号の構成を説明する図である。図１３Ａから図１３Ｃは、本実施の形態の衛生洗浄装置におけるＣＰＵとサブＣＰＵの通信回路のブロック図である。
【０１４２】
まず、従来の一般的なＣＰＵ（メイン）とその他の機能を果たす別のＣＰＵ（サブ）との通信回路の構成例を、図１２Ａと図１２Ｂを用いて説明する。なお、ＣＰＵ（メイン）とＣＰＵ（サブ）との通信信号は、図１２Ｂに示すように、１ｂｉｔを「０」もしくは「１」として、１つのコードが１１ｂｉｔで構成されている。
【０１４３】
図１２Ａに示す従来のＣＰＵ（メイン）とＣＰＵ（サブ）との通信回路は、待機電力モード時において、メインのＣＰＵ２２を低速モードにした場合、処理能力により通信できなくなる場合がある。そこで、通信できる速度モードにすると、消費電力が増えるといった課題があった。
【０１４４】
そこで、図１３Ａに示すように、本実施の形態のＣＰＵ２２とサブＣＰＵ２７の通信回路は、ＣＰＵ２２とサブＣＰＵ２７が、互いに信号の伝達を行う通信端子ＴＸＤ１、ＲＸＤ１、ＴＸＤ２、ＲＸＤ２を備えている。さらに、ウェイクアップ端子Ａ、Ｂを備えて構成されている。
【０１４５】
つまり、図１３Ａに示すＣＰＵ２２とサブＣＰＵ２７の通信回路は、通常電力モードの場合、メインのＣＰＵ２２とサブＣＰＵ２７は通信端子を使用して互いの信号の伝達を行う。
【０１４６】
このとき、（電力制御装置の動作および作用）で説明したように、ＣＰＵ２２が、待機電力モードとなる条件になると、まず、ＣＰＵ２２の通信端子ＴＸＤ１からサブＣＰＵ２７の通信端子ＲＸＤ２に信号が送信される。これにより、サブＣＰＵ２７はＳＴＯＰモードとなる。そして、サブＣＰＵ２７において、通信端子ＲＸＤ２からウェイクアップ端子Ｂに切り換わる。
【０１４７】
一方、同時に、ＣＰＵ２２も通信処理を停止する。そして、ＣＰＵ２２において、通信端子ＲＸＤ１からウェイクアップ端子Ａに切り換わる。
【０１４８】
これにより、ＣＰＵ２２は待機電力モードとなり、サブＣＰＵ２７はＳＴＯＰモードとなって、待機電力が低減されている状態となる。このとき、本体２００の袖部２６０に設けられた本体操作部２６１が使用者によって操作されると、図１３Ｂのように、サブＣＰＵ２７の通信端子ＴＸＤ２からＣＰＵ２２のウェイクアップ端子Ａに「Ｌ」→「Ｈ」の信号が送信される。
【０１４９】
そして、ＣＰＵ２２は、ウェイクアップ端子Ａに入力された「Ｌ」→「Ｈ」の信号によって、待機電力モードから通常電力モードへ切り換わる。これにより、ＣＰＵ２２の通信端子ＲＸＤ１が使用可能な状態になる。
【０１５０】
つぎに、ＣＰＵ２２を通常電力モードへ切り換え、サブＣＰＵ２７を待機電力モードから通常電力モードにする場合、図１３Ｃのように、ＣＰＵ２２の通信端子ＴＸＤ１から「Ｌ」→「Ｈ」の信号を出力する。そして、ＣＰＵ２２の通信端子ＴＸＤ１から出力された信号が、サブＣＰＵ２７のウェイクアップ端子Ｂに入力され、サブＣＰＵ２７は待機電力モードから通常電力モードへ切り換わる。これにより、ＣＰＵ２２とサブＣＰＵ２７の通信回路は、通常の通信端子（ＴＸＤ１、ＲＸＤ１、ＴＸＤ２、ＲＸＤ２）に切り換わる。
【０１５１】
以上のように、ＣＰＵとサブＣＰＵとに設けたウェイクアップ端子に、「Ｌ」→「Ｈ」の信号を入力することにより、待機電力モードから通常電力モードに切り換える。これにより、待機電力モード時の省電力化を図るとともに、２つ以上のＣＰＵの通信処理を行うことができる。また、通信端子とウェイクアップ端子を共用することにより、配線数を削減できる。
【０１５２】
以下に、本実施の形態の電力制御装置の待機電力モードと通常電力モードを切り換える制御動作について、図１４を用いて、簡単に説明する。
【０１５３】
図１４は、本発明の実施の形態における電力制御装置の制御動作を説明するフローチャート図である。
【０１５４】
図１４に示すように、衛生洗浄装置の電力制御装置が待機電力モードの場合（ステップＦ１）、待機電力モードから通常電力モードに切り換わったか否かを判断する（ステップＦ２）。切り換わっていない場合（ステップＦ２のＮｏ）、待機する。
【０１５５】
一方、待機電力モードから通常電力モードに切り換わった場合（ステップＦ２のＹｅｓ）、ＣＰＵ２２を待機電力モードから通常電力モードに切り換える（ステップＦ３）。これにより、電力制御装置の補助電源１０９の２次側巻線を流れる電流がＩｂからＩａに増加する（ステップＦ４）。
【０１５６】
また、補助電源１０９と補助電源制御ＩＣ２１が、待機電力モードから通常電力モードに切り換わる（ステップＦ５）。
【０１５７】
そして、ＣＰＵ２２は、リレー２６をＯＮして、商用電源から主電源１０４に電力を供給して、主電源１０４を動作させる（ステップＦ６）。
【０１５８】
つぎに、例えば５分間の間に、人体を検知する検知信号が入力されたか否かを、判断する（ステップＦ７）。人体を検知する検知信号が入力されている場合（ステップＦ７のＮｏ）、電力制御装置を駆動して衛生洗浄装置の洗浄動作を継続する。
【０１５９】
一方、人体を検知する検知信号が入力されず、５分間が経過した場合（ステップＦ７のＹｅｓ）、ＣＰＵ２２は、リレー２６をＯＦＦして、商用電源から主電源１０４への電力の供給を停止して、主電源１０４の動作を停止する（ステップＦ８）。これにより、ＣＰＵ２２が通常電力モードから待機電力モードに切り換わる（ステップＦ９）。
【０１６０】
そして、電力制御装置の補助電源１０９の２次側巻線を流れる電流がＩａからＩｂに減少する（ステップＦ１０）。
【０１６１】
さらに、補助電源１０９と補助電源制御ＩＣ２１が、通常電力モードから待機電力モードに切り換わる（ステップＦ１１）。
【０１６２】
上記のように、本実施の形態の電力制御装置は、待機電力モードと通常電力モードを切り換えて動作する。
【０１６３】
以上で説明したように、本実施の形態の電力制御装置によれば、機器に電力を供給する主電源１０４と、機器の使用を検知する使用検知部１１１と、使用検知部１１１の信号により待機電力モードと通常電力モードの切換指示を出力するＣＰＵ２２と、ＣＰＵ２２に電力を供給する補助電源１０９と、トランス１１５と、を備える。トランス１１５は、補助電源１０９の補助電源入力部１０６に設けた１次巻線１１２と、補助電源出力部１０７に設けた２次巻線と、補助電源制御ＩＣを備えた補助電源モード切換制御部１０８に補助２次巻線１１４と、を有する。ＣＰＵ２２は、待機電力モードへの切換指示により、主電源１０４への商用電力供給を遮断するとともに、ＣＰＵ２２自体が低速モードである待機電力モードに移行し、２次巻線１１３の電流低下による補助２次巻線１１４の電流低下により補助電源制御ＩＣ２１が補助電源１０９の間欠駆動停止を繰り返すように制御する。
【０１６４】
この構成によれば、使用検知部１１１からの信号により、ＣＰＵ２２が通常電力モードから待機電力モードへ移行させる条件になると、図１４のステップＦ７およびステップＦ８で示したように、ＣＰＵ２２は主電源１０４への商用電力供給を遮断するとともに、補助電源１０９の２次側負荷２３を遮断する。
【０１６５】
そして、図１４のステップＦ９に示すように、ＣＰＵ２２自体が低速モードである待機電力モードに移行する。このとき、図１４のステップＦ１０に示すように、トランス１１５の２次巻線１１３の電流低下により、トランス１１５の補助２次巻線１１４の電流が低下する。そして、図１４のステップＦ１１に示すように、補助電源モード切換制御部１０８の補助電源制御ＩＣ２１が、補助電源１０９の間欠駆動停止を繰り返す待機電力モードとなる。
【０１６６】
これにより、主電源１０４への商用電力の供給が遮断され、待機電力モード時において、主電源１０４および主電源１０４の出力側負荷１０５での電力消費がなくなる。
【０１６７】
さらに、補助電源１０９の２次側負荷２３が遮断されて、補助電源１０９が間欠駆動停止を繰り返す待機電力モードになる。これにより、機器を使用していないときの待機電力を限りなくゼロに近づけることができる。その結果、待機電力を大幅に低減できる電力制御装置およびそれを備えた機器、例えば衛生洗浄装置を実現できる。
【０１６８】
また、本実施の形態の電力制御装置によれば、使用検知部１１１は、機器にリモコン信号を送出するリモートコントローラ４００と、リモコン信号を受信する本体受信部２６２と、を備える。そして、リモコン信号は、リーダ部、データ部、トレーラ部で構成される送信データの前段に、リーダ部、データ部、トレーラ部およびデータコードからなるダミーコードをさらに備える。さらに、ダミーコードは、データコードをＣＰＵ２２の待機電力モードにおける本体受信部２６２の間欠駆動停止繰り返し周期の時間より長い時間に構成するとともに、データコードのデータをすべて同じビットデータで構成してもよい。
【０１６９】
これにより、待機電力モードにおいて、省電力化を図りながら、通常の動作と同等なリモコン受信機能を実現ができる。
【０１７０】
また、本実施の形態の電力制御装置によれば、ダミーコードのデータコードを３２ｂｉｔで構成し、データコードのデータをすべて「０」のビットデータで構成してもよい。
【０１７１】
これにより、機器の待機電力モードにおいて、機器が使用されていないときの待機電力の大幅な省電力化を図ることができる。さらに、通常の動作と同等なリモコン受信機能を実現できる。
【０１７２】
また、本実施の形態の機器は、上記の電力制御装置を備えていてもよい。これにより、機器の待機電力を大幅に低減できる。
【０１７３】
なお、本実施の形態では、電力制御装置を備えた機器として衛生洗浄装置を例に説明したが、これに限られない。例えば衛生洗浄装置に限らず、操作リモコンなどのリモートコントローラを備えたエアコンやテレビなどの機器でもよい。これにより、衛生洗浄装置と同様に、待機電力を大幅に低減する効果が得られる。
【産業上の利用可能性】
【０１７４】
本発明は、機器を使用していないときの待機電力の大幅な低減が要望される電力制御装置を備える、人体検知センサやリモートコントローラが搭載された機器などの技術分野に適用できる。
【符号の説明】
【０１７５】
２１    補助電源制御ＩＣ
２２    ＣＰＵ
２３    ２次側負荷
２４    ２次側負荷遮断用素子
２５    主電源制御ＩＣ
２６    リレー
２７    サブＣＰＵ
１００    衛生洗浄装置
１０２    主電源入力部
１０３    主電源出力部
１０４    主電源
１０５    出力側負荷（機能部）
１０６    補助電源入力部
１０７    補助電源出力部
１０８    補助電源モード切換制御部
１０９    補助電源
１１０    便器
１１１    使用検知部
１１２    １次巻線
１１３    ２次巻線
１１４    補助２次巻線
１１５    トランス
２００    本体
２１０    便蓋
２１５    便座便蓋回動機構
２１５ａ    開閉角度検出用センサ（便座・便蓋位置検知センサ）
２１５ｂ    電源切換素子
２１５ｃ    コンパレータ
２２０    便座
２２１    便座ヒータ
２３０    洗浄機構
２３１    洗浄ノズル
２４０    本体制御部
２５０    着座検知センサ
２６０    袖部
２６１    本体操作部
２６１ａ    電源スイッチ
２６１ｂ    お尻洗浄スイッチ
２６２    本体受信部（赤外線受信部）
２６２ａ    受信部（受光ユニット）
２６２ｂ    電源遮断素子
３００    人体検知センサ
４００    リモートコントローラ（操作リモコン）
４０１    リモコン本体
４０１ａ    磁石
４０２    フロントパネル（外郭）
４０２ａ    パネル枠
４０２ｂ    裏蓋
４０２ｃ    受板
４０３    操作ボタン
４０４    透過部
４１０    操作スイッチ
４１１    ビデ洗浄スイッチ
４１２    お尻洗浄スイッチ
４１３    乾燥スイッチ
４１４    停止スイッチ
４１５    便座開スイッチ
４１６    便座閉スイッチ
４１７    リズムスイッチ
４１８    ワイドスイッチ
４１９    ムーブスイッチ
４２０    設定スイッチ
４２１    強度スイッチ
４２３    温水温度スイッチ
４２４    便座温度スイッチ
４３０    表示灯
４３１    強度表示灯
４３２    温水温度表示灯
４３３    便座温度表示灯
４３４    電池表示灯
４３５    センサ検知表示灯
４３６    赤外線送信部
４３７    開閉検知センサ
４４０    照度センサ
４４１    第一照度センサ
４４２    第二照度センサ
４５０    電池
５００    リモコン制御部
【要約】
主電源（１０４）と、使用検知部（１１１）と、待機電力モードと通常電力モードの切換指示を出力するＣＰＵ（２２）と、補助電源（１０９）と、トランス（１１５）と、を備える。トランス（１１５）は、１次巻線（１１２）と２次巻線（１１３）と補助電源制御ＩＣ（２１）を備えた補助電源モード切換制御部（１０８）に補助２次巻線（１１４）とを有する。ＣＰＵ（２２）は、待機電力モードで、主電源（１０４）への商用電力供給を遮断し、ＣＰＵ（２２）自体を待機電力モードに移行し、補助電源制御ＩＣ（２１）が補助電源（１０９）の間欠駆動停止を繰り返すように制御する。これにより、機器を使用していない時の待機電力を大幅に低減できる。【図１】
0005543046.tif 000002
【図２】
0005543046.tif 000003
【図３】
0005543046.tif 000004
【図４】
0005543046.tif 000005
【図５】
0005543046.tif 000006
【図６】
0005543046.tif 000007
【図７】
0005543046.tif 000008
【図８Ａ】
0005543046.tif 000009
【図８Ｂ】
0005543046.tif 000010
【図８Ｃ】
0005543046.tif 000011
【図８Ｄ】
0005543046.tif 000012
【図８Ｅ】
0005543046.tif 000013
【図９】
0005543046.tif 000014
【図１０Ａ】
0005543046.tif 000015
【図１０Ｂ】
0005543046.tif 000016
【図１１Ａ】
0005543046.tif 000017
【図１１Ｂ】
0005543046.tif 000018
【図１１Ｃ】
0005543046.tif 000019
【図１１Ｄ】
0005543046.tif 000020
【図１１Ｅ】
0005543046.tif 000021
【図１２Ａ】
0005543046.tif 000022
【図１２Ｂ】
0005543046.tif 000023
【図１３Ａ】
0005543046.tif 000024
【図１３Ｂ】
0005543046.tif 000025
【図１３Ｃ】
0005543046.tif 000026
【図１４】
0005543046.tif 000027